(57)【要約】      （修正有）【課題】機能性及び多様性に優れた野菜・果物の繊維紙を提供する。【解決手段】野菜繊維体の複数種の膜状繊維材及び糸状繊維材を膠質繊維液結合材によって結合して野菜繊維紙を形成する。それに対し、果物繊維体の複数種の果肉繊維材はペクチン繊維液結合材によって結合されて果物繊維紙を形成する。また、野菜繊維体に含まれる膠質繊維液結合材と、果物繊維体に含まれるペクチン繊維液結合材とは粘着し合って連結され、これにより、野菜繊維体と果物繊維体は相互に粘着して結合されて、野菜・果物の繊維紙が作られる。【選択図】図１
0003176854.tif 000002
【実用新案登録請求の範囲】
【請求項１】
野菜・果物の繊維紙において、
少なくとも一つの野菜繊維体を含み、前記野菜繊維体は、複数の膜状繊維材、複数の糸状繊維材、及び複数の膠質繊維液結合材を含み、膜状繊維材及び糸状繊維材は膠質繊維液結合材によって結合されて野菜繊維紙を形成することを特徴とする野菜・果物の繊維紙。
【請求項２】
野菜・果物の繊維紙において、
少なくとも一つの果物繊維体を含み、前記果物繊維体は、複数の果肉繊維材及び複数のペクチン繊維液結合材を備え、果肉繊維材はペクチン繊維液結合材によって結合されて果物繊維紙を形成することを特徴とする野菜・果物の繊維紙。
【請求項３】
野菜・果物の繊維紙において、
複数の野菜繊維体と複数の果物繊維体を含み、
前記野菜繊維体は複数の膜状繊維材、複数の糸状繊維材、及び複数の膠質繊維液結合材を含み、膜状繊維材及び糸状繊維材は、膠質繊維液結合材によって結合され、
前記果物繊維体は複数の果肉繊維材及び複数のペクチン繊維液結合材を含み、果肉繊維材はペクチン繊維液結合材によって結合され、ペクチン繊維液結合材はさらに、野菜繊維体に含んだ膠質繊維液結合材と複合されることを特徴とする野菜・果物の繊維紙。
【請求項４】
野菜・果物の繊維紙において、
複数の野菜繊維体と、複数の果物繊維体と、複数のオクラ液結合体とを含み、
前記野菜繊維体は、複数の膜状繊維材及び複数の糸状繊維材を含み、
前記果物繊維体は、複数の果肉繊維材を含み、
前記オクラ液結合体は、野菜繊維体の複数の膜状繊維材及び複数の糸状繊維材と果物繊維体の複数の果肉繊維材とを結合させることを特徴とする野菜・果物の繊維紙。
【請求項５】
野菜・果物の繊維紙において、
複数の野菜繊維体と、複数の果物繊維体と、複数のアロエ液結合体とを含み、
前記野菜繊維体は、複数の膜状繊維材及び複数の糸状繊維材を含み、
前記果物繊維体は、複数の果肉繊維材を含み、
前記アロエ液結合体は、野菜繊維体の複数の膜状繊維材及び複数の糸状繊維材と果物繊維体の複数の果肉繊維材とを結合させることを特徴とする野菜・果物の繊維紙。
【考案の詳細な説明】
【技術分野】
【０００１】
本考案は、野菜・果物の繊維紙に関し、特に紙の構造に属する技術分野に応用する。
【背景技術】
【０００２】
現有する公知の紙は、樹木を切り倒して取得する樹皮及び木質繊維や草本繊維によって製造された植物パルプ繊維である。まず、パルプ繊維に脱水加工を施し、さらに脱水加工後のパルプ繊維をワイヤーに広げて絡ませ合いながら薄く平らに成形する。乾燥後、ワイヤーから取り上げると、繊維が絡まり合った紙の完成品ができあがる。しかし、これには次のような問題点が存在する。
(1)機能性の不足：それは樹木から製造された植物パルプ繊維であり、並びに、パルプ繊維を加工して作られた紙は、単純に字や絵を書いたり印刷等の機能を備えるだけで、その他の付属的応用性を持たず、機能性の不足が見られる。
(2)多様性の不足：それは樹木から製造された植物パルプ繊維であり、並びに、パルプ繊維を加工して作られた紙は、単純に同色系及び同形式の植物パルプ繊維によって構成されるため、多様性に乏しい。
【考案の概要】
【考案が解決しようとする課題】
【０００３】
本考案は、前述した紙の機能性及び多様性の不足という問題点に鑑み、野菜・果物の繊維紙を提供する。
【課題を解決するための手段】
【０００４】
本考案の主な目的は野菜・果物の繊維紙を提供することにある。野菜繊維体には複数の膜状繊維材、複数の糸状繊維材、及び複数の膠質繊維液結合材を含み、果物繊維体には複数の果肉繊維材と複数のペクチン繊維液結合材を含む。野菜繊維体の膜状繊維材及び糸状繊維材は膠質繊維液結合材によって結合されて野菜繊維紙を形成する。それに対し、果物繊維体の果肉繊維材はペクチン繊維液結合材によって結合されて果物繊維紙を形成する。また、野菜繊維体に含まれる膠質繊維液結合材はさらに、果物繊維体に含まれるペクチン繊維液結合材と複合し、野菜繊維体と果物繊維体は粘着し合って結合し、野菜・果物の繊維紙が作られる。該野菜繊維紙、果物繊維紙、及び野菜・果物の繊維紙の応用によって、紙に天然食用の特性を備えさせ、紙の視覚及び嗅覚の変化を向上させて、優れた機能性及び多様性を発揮させる。
【考案の効果】
【０００５】
本考案の野菜・果物の繊維紙は次のような効果を備える。
(1)優れた機能性：本考案は野菜と果物によって作られた繊維液を用い、野菜と果物の繊維液を加工して製造された紙である。紙は書写、絵画、及び印刷等の機能を提供し、また、装飾及び食用機能を備えるため、機能性に優れる。
(2)多様性に富む：野菜と果物によって作られた繊維液を用い、野菜と果物の繊維液に加工を施し紙を製造する。紙は、多色系の野菜と果物の繊維液によって構成されるため、多様性に優れる。
【図面の簡単な説明】
【０００６】
【図１】図１は本考案の立体構成図である。
【図２】図２は本考案の立体分解図である。
【図３】図３は本考案の側面断面図である。
【図４】図４は本考案の加工工程フロー図である。
【図５】図５は本考案の加工工程を示した図である。
【図６】図６は本考案の第一実施例図である。
【図７】図７は本考案の第二実施例図である。
【図８】図８は本考案の第三実施例図である。
【図９】図９は本考案の第四実施例図である。
【考案を実施するための形態】
【０００７】
貴庁の審査官の方に本考案の構造、特徴、及びその他目的をさらに御理解いただくために、次に図面を参照とする好ましい実施例を用いた詳細説明を行う。但し、本図面及び例によって説明される実施例は、説明を便宜的に行うためのものであり、本出願を唯一制限するものではない。
【実施例】
【０００８】
図１及び図２に示された本考案の野菜・果物の繊維紙の立体構成図及び立体分解図には、少なくとも一つの野菜繊維体１０と少なくとも一つの果物繊維体２０とを含む。
【０００９】
前記野菜繊維体１０には複数の膜状繊維材１１、複数の糸状繊維材１２、及び複数の膠質繊維液結合材１３を含み、膜状繊維材１１と糸状繊維材１２は膠質繊維液結合材１３を用いて結合する。
【００１０】
前記果物繊維体２０には複数の果肉繊維材２１と複数のペクチン繊維液結合材２２を含み、その果肉繊維材２１はペクチン繊維液結合材２２を用いて結合し、ペクチン繊維液結合材２２はさらに、野菜繊維体１０に含んだ膠質繊維液結合材１３と複合する。
【００１１】
上述の構造を組み合わせると、本考案の野菜・果物の繊維紙が完成される。
【００１２】
図３に本考案の野菜・果物の繊維紙の側面断面図を示す。果物繊維体２０と複合する野菜繊維体１０には、複数の膜状繊維材１１、複数の糸状繊維材１２、及び複数の膠質繊維液結合材１３を含み、果物繊維体２０には複数の果肉繊維材２１及び複数のペクチン繊維液結合材２２を含む。野菜繊維体１０の膜状繊維材１１及び糸状繊維材１２は膠質繊維液結合材１３によって結合され、果物繊維体２０の果肉繊維材２１はペクチン繊維液結合材２２によって結合される。野菜繊維体１０に含んだ膠質繊維液結合材１３と、さらに果物繊維体２０に含んだペクチン繊維液結合材２２とが複合することにより、野菜繊維体１０と果物繊維体２０は粘着し合って結合される。野菜繊維体１０と果物繊維体２０との結合の応用によって、紙には天然食用の特性が備えられ、並びに、紙の視覚と嗅覚の変化を高め、優れた機能性及び多様性が発揮される。
【００１３】
次に、図４及び図５に示した本考案の野菜・果物の繊維紙の加工工程フロー及び製造工程図において、その加工工程フロー３０には、次の工程を含む。
【００１４】
(1)野菜及び果物の繊維採取３１：野菜と果物を収集し、野菜の膜状繊維、糸状繊維、及び膠質繊維液を取得し、並びに、果物の果皮繊維、果肉繊維を取得する。
(2)蒸煮３２：野菜の膜状繊維、糸状繊維、及び膠質繊維と、果物の果肉繊維及びペクチン繊維を高温で蒸煮し、軟化を加速し、繊維を分離させる。
(3)紙料作成３３：取得した野菜の膜状繊維、糸状繊維、及び膠質繊維を、果物の果肉繊維及びペクチン繊維と混合させ、混合させた液体を作る。
(4)抄紙３４：製紙工具を用いて紙料製作後の容器内で野菜及び果物の繊維を混合させた液を取得し、並びに、揺り動かして製紙工具上の野菜及び果物の繊維を沈殿させ、相互粘着を生じさせて結合する。
(5)圧搾３５：製紙工具上の野菜及び果物の繊維を加圧して水分を取り除く。
(6)乾燥３６：脱水した野菜及び果物の繊維を熱気で乾燥させる。
(7)紙３７：乾燥後の野菜及び果物の繊維を製紙工具から取り上げると紙が完成される。
【００１５】
前述の加工工程フロー３０を経て、紙３７に環境保護性及び多様性を備えさせた本考案の野菜・果物の繊維紙が完成する。
【００１６】
図６及び図７に本考案の野菜・果物の繊維紙の第一、第二実施例を示す。それは、少なくとも一つの野菜繊維体１０と少なくとも一つの果物繊維体２０とを含む。
野菜繊維体１０は複数の膜状繊維材１１、複数の糸状繊維材１２、及び複数の膠質繊維液結合材１３を含み、膜状繊維材１１及び糸状繊維材１２は膠質繊維液結合材１３によって結合され、野菜繊維紙が作られる。また、果物繊維体２０には複数の果肉繊維材２１及び複数のペクチン繊維液結合材２２を含み、果肉繊維材２１はペクチン繊維液結合材２２によって結合されて果物繊維紙が作られる。よって、本考案は多方面での実用性が向上する。
【００１７】
図８に示した本考案の野菜・果物の繊維紙の第三実施例において、それは複数の野菜繊維体１０と、複数の果物繊維体２０と、複数のオクラ液結合体４０を含む。
野菜繊維体１０は、複数の膜状繊維材１１及び複数の糸状繊維材１２を含み、複数の果物繊維体２０は、複数の果肉繊維材２１を含む。並びに、複数のオクラ液結合体４０は、野菜繊維体１０の複数の膜状繊維材１１及び複数の糸状繊維材１２と、果物繊維体２０の複数の果肉繊維材２１と結合する。よって、本考案は多方面での実用性が向上する。
【００１８】
図９に示した本考案の野菜・果物の繊維紙の第四実施例において、それは複数の野菜繊維体１０と、複数の果物繊維体２０と、複数のアロエ液結合体５０を含む。
野菜繊維体１０は、複数の膜状繊維材１１及び複数の糸状繊維材１２を含み、複数の果物繊維体２０は、複数の果肉繊維材２１を含む。並びに、複数のアロエ液結合体５０は、野菜繊維体１０の複数の膜状繊維材１１及び複数の糸状繊維材１２と、果物繊維体２０の複数の果肉繊維材２１と結合する。よって、本考案は多方面での実用性が向上する。
【００１９】
次に、本考案の長所を説明する。
(1)優れた機能性：本考案は野菜と果物によって作られた繊維液を用い、野菜と果物の繊維液を加工して製造された紙である。紙は書写、絵画、及び印刷等の機能を提供し、また、装飾及び食用機能を備えるため、機能性に優れる。
(2)多様性に富む：野菜と果物によって作られた繊維液を用い、野菜と果物の繊維液に加工を施し紙を製造する。紙は、多色系の野菜と果物の繊維液によって構成されるため、多様性に優れる。
【００２０】
前述したとおり、本考案は確実に前述の各機能及び目的を達成する。よって、本考案は特許出願要件を満たす故に、ここに特許法に基づき出願を行う。
【符号の説明】
【００２１】
１０    野菜繊維体
１１ 膜状繊維材
１２ 糸状繊維材
１３ 膠質繊維液結合材
２０ 果物繊維体
２１ 果肉繊維材
２２ ペクチン繊維液結合材
３０ 加工工程のフロー
３１ 野菜及び果物の繊維取材
３２ 蒸煮
３３ 紙料作成
３４ 抄紙
３５ 圧搾
３６ 乾燥
３７ 紙
４０ オクラ液結合体
５０ アロエ液結合体
【図１】
0003176854.tif 000003
【図２】
0003176854.tif 000004
【図３】
0003176854.tif 000005
【図４】
0003176854.tif 000006
【図５】
0003176854.tif 000007
【図６】
0003176854.tif 000008
【図７】
0003176854.tif 000009
【図８】
0003176854.tif 000010
【図９】
0003176854.tif 000011